【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
表面洗浄装置であって、
直立本体と、
該直立本体に結合され被洗浄面を横切って移動するように構成され、基部ハウジングと、該基部ハウジングに結合されたノズルアセンブリとを含む基部と、
該基部に設けられ、不浄入口を画成している吸引ノズルと、該吸引ノズルと流体連通していて作用空気流を生成する吸引源と、該直立本体に設けられた回収タンクと、清浄空気出口を画成する少なくとも一つの排気口と、を備えた回収システムと、
該直立本体に設けられた供給タンクと、ポンプと、流体散布器と、を備えた流体送出システムと、
該基部ハウジングに取り外し自在に装着され、該吸引ノズルに隣接して設けられ、該被洗浄面を攪拌するブラシロールと、を備え、
該ノズルアセンブリは、
該ブラシロールを部分的に囲繞するブラシチャンバーを画成する取り外し自在なノズルハウジングと、
該基部ハウジング内にあり該ブラシロールと作動可能に結合するように構成されているブラシロールモーターと、
該ブラシロールの端部にあるブラシロールラッチと、
該基部ハウジングの側壁にあり、該ブラシロールラッチを受けて該ブラシロールを該基部に装着し、該側壁の頂面における開口を含む嵌合要素と、を備え、
該ブラシロールラッチは、ユーザーが把持して該ブラシロールを取り外すための解放タブを備え、該解放タブは、該解放タブの頂面が該側壁の該頂面と連続するように該側壁の該頂面における該開口に受容され、
該ノズルハウジングの一部は、該ブラシロールラッチの一部の上に乗り、該基部ハウジング及び該ノズルアセンブリの間で該ブラシロールラッチの該一部を捕捉し、該ブラシロールの意図しない解放を防止する、表面洗浄装置。
【請求項２】
前記基部ハウジングの前記側壁は第１の横側壁を備え、前記基部ハウジングは該第１の横側壁から離間した第２の横側壁を備え、該第１及び第２の横側壁の間にキャビティを画成しており、
前記嵌合要素は該第１の横側壁の内面に設けられている、請求項１に記載の表面洗浄装置。
【請求項３】
前記第１及び第２の横側壁は前記ブラシチャンバーの一部を形成し、前記ノズルハウジングは前記第１及び第２の横側壁によって包囲される開口した側端部を備えている、請求項２に記載の表面洗浄装置。
【請求項４】
前記第２の横側壁に設けられ前記キャビティ内に突出する駆動ヘッドを備え、該駆動ヘッドは前記ブラシロールモーターに作動可能に結合されており、
前記ブラシロールラッチは前記ブラシロールの第１の端部に設けられており、前記ブラシロールの反対側の第２の端部は、トランスミッションによって前記ブラシロールモーターと作動可能に接続される該駆動ヘッドを有するスプライン駆動接続部が設けられている、請求項２に記載の表面洗浄装置。
【請求項５】
前記ブラシロールラッチは前記ブラシロールの第１の端部に設けられており、前記ブラシロールの反対側の第２の端部は、トランスミッションによって前記ブラシロールモーターと作動可能に接続される駆動ヘッドを有するスプライン駆動接続部が設けられている、請求項１に記載の表面洗浄装置。
【請求項６】
前記ブラシロールラッチは、前記嵌合要素のラッチ本体受部によって受けられるように構成されているラッチ本体を備え、該ラッチ本体は該ラッチ本体受部と相補的であり前記ブラシロールの適切な装着が確保され、前記解放タブは該ラッチ本体と結合されている、請求項１に記載の表面洗浄装置。
【請求項７】
前記ラッチ本体及び前記ラッチ本体受部は、相補的なＵ字形状を有し下方に先細り形状とされている、請求項６に記載の表面洗浄装置。
【請求項８】
前記解放タブは、前記ブラシロールの持ち上げを支援する把持形状部を備え、該把持形状部は前記ノズルハウジングによって覆われ、該把持形状部は前記ノズルハウジングが前記基部ハウジングから取り外された際に露出する、請求項１に記載の表面洗浄装置。
【請求項９】
前記解放タブの前記頂面は該装置のユーザーに対して視認可能であり前記基部の外面を形成する、請求項８に記載の表面洗浄装置。
【請求項１０】
前記ブラシロールラッチは、前記基部ハウジングにある前記嵌合要素とスナップ係合するように構成された突出部を備え、該突出部は前記ブラシロールの装着の際に撓んで前記嵌合要素の陥凹部に捕捉されるように構成されており、該陥凹部は、前記基部ハウジングからの前記ブラシロールの分離を可能にするように形成されている、請求項１に記載の表面洗浄装置。
【請求項１１】
前記嵌合要素は棚状部を備え、前記ブラシロールラッチは、前記嵌合要素の該棚状部に乗るように構成された肩部を備えている、請求項８に記載の表面洗浄装置。
【請求項１２】
前記嵌合要素は棚状部を備え、前記ブラシロールラッチは、前記嵌合要素の該棚状部に乗るように構成された肩部を備えている、請求項１に記載の表面洗浄装置。
【請求項１３】
前記ノズルアセンブリを前記基部ハウジングに解除可能に固定するノズルラッチを備え、該ノズルラッチは前記基部ハウジングのラッチ受け部に選択的に受容さればねにより係止位置に付勢される、請求項１に記載の表面洗浄装置。
【請求項１４】
前記ノズルアセンブリは前記ノズルハウジング上にハンドグリップを備え、該ハンドグリップを用いて前記ノズルアセンブリを前記基部ハウジングから引き離すことができる、請求項１３に記載の表面洗浄装置。
【請求項１５】
前記ノズルハウジングは、前記ブラシロールが前記ノズルアセンブリを通してユーザーに少なくとも部分的に視認可能であるように、半透明材料又は透明材料から形成される、請求項１に記載の表面洗浄装置。
【請求項１６】
前記ノズルハウジングの下側前縁部においてバンパーを備えている、請求項１に記載の表面洗浄装置。
【請求項１７】
前記ブラシロールはマイクロファイバー材料を含む、請求項１に記載の表面洗浄装置。
【請求項１８】
前記基部に対する少なくとも２つの軸の周りの動きのための、前記直立本体を前記基部に結合する可動ジョイントアセンブリを備え、前記吸引ノズルは、該可動ジョイントアセンブリを通る可撓性導管を介して前記回収タンクに流体連通しており、
前記基部ハウジングに設けられ、前記ブラシチャンバーを前記可撓性導管に結合する基部導管を備えている、請求項１に記載の表面洗浄装置。
【請求項１９】
前記基部ハウジングは、前記ポンプと前記ブラシロールモーターとを収容し、前記基部導管及び前記可撓性導管は前記ポンプと前記ブラシロールモーターとの間を通過する、請求項１８に記載の表面洗浄装置。
【請求項２０】
表面洗浄装置であって、
直立本体と、
該直立本体に結合され、第１の横側壁及び第２の横側壁を備え、該第１の横側壁は頂面を備える、基部と、
該基部に設けられた入口と、吸引源と、該直立本体に設けられた回収タンクと、少なくとも一つの清浄空気出口とを備えた回収システムと、
該直立本体に設けられた供給タンクと、ポンプと、流体散布器とを備えた流体送出システムと、
該第１及び第２の横側壁の間で該基部に取り外し自在に装着され、被洗浄面を攪拌するブラシロールと、
該基部内にあり該ブラシロールと作動可能に結合されたブラシロールモーターと、
該ブラシロールの端部に設けられたブラシロールラッチと、
該第１の横側壁の内面に設けられた嵌合要素と、を備え、
該ブラシロールラッチと該嵌合要素は、該ブラシロールラッチが該嵌合要素とキー結合して該ブラシロールを該基部に装着するように、形作られており、該嵌合要素は該頂面において間隙を形成する受け開口を有するラッチ受け部を備え、
該基部は、該ブラシロールを部分的に囲繞する取り外し自在な部分を含み、
該ブラシロールラッチは、該ラッチ受け部に配置されたラッチ本体と、頂面を有する解放タブを備え、該解放タブは、該解放タブの該頂面が該第１の横側壁の該頂面の外形と連続するように該第１の横側壁の該頂面における該受け開口に受容され、
該基部の該取り外し自在な部分は該ブラシロールラッチの一部の上に乗り、該第１の横側壁と該取り外し自在な部分との間で該ブラシロールラッチの該一部を捕捉し、該ブラシロールの意図しない解放を防止する、表面洗浄装置。
【請求項２１】
前記側壁は該側壁の上端に畝状部を備え、前記ブラシロールラッチは該畝状部を受容するスロットを備える、請求項１に記載の表面洗浄装置。
【請求項２２】
前記ブラシロールラッチは前記解放タブの内側に向けて配置された肩部を備え、前記ノズルハウジングの前記一部は該肩部の上に乗る、請求項１に記載の表面洗浄装置。